(57)【要約】      （修正有）【課題】中心導体及び接続用端子が安定的に電気的に接続される同軸マイクロケーブル用フリーハンダ付けコネクタを提供する。【解決手段】金属ケース１１及びコネクタ本体２０を備え、同軸マイクロケーブルは中心導体と、絶縁体と、少なくとも１層の編組導体と、外部被覆とを有する。コネクタ本体２０は接続ヘッド１２と、絶縁部品２２と、接続用端子３０と、支持部材４０とを含み、絶縁部品２２と接続用端子３０との間には導電挟持部品５０が配置される。導電挟持部品５０は弧状部５１、及び弧状部５１の両側の端部から所定の長さ上に向けて延伸される１対の可撓部５２を有する。また、小型の工具により可撓部５２が内に向けて湾曲するように変形され、且つ同軸マイクロケーブルの中心導体に圧着される。【選択図】図２
0003214098.tif 000002
【実用新案登録請求の範囲】
【請求項１】
同軸マイクロケーブルに電気的に接続され、前記同軸マイクロケーブルは中心導体と、前記中心導体の周囲を被覆させる絶縁体と、前記絶縁体の周囲を被覆させる少なくとも１つの編組導体と、前記編組導体の周囲を被覆させる外部被覆とを有し、金属ケース及び前記金属ケースの内部に接合されるコネクタ本体を備え、前記コネクタ本体は接続ヘッドと、絶縁部品と、接続用端子と、支持部材とを含む同軸マイクロケーブル用フリーハンダ付けコネクタであって、
前記絶縁部品は先端部と、後端部と、前記先端部と後端部との間に形成される円弧端部とを有し、前記円弧端部は接合溝からなり、
また、導電挟持部品は前記絶縁部品と前記接続用端子との間に配置され、前記導電挟持部品はＵ字型構造を呈し、前記絶縁部品の接合溝中に固定され、且つ前記接続用端子のインターフェイス部の周囲に配置され、前記導電挟持部品は弧状部、及び前記弧状部の両側の端部から所定の長さ上に向けて延伸される１対の可撓部を有し、且つ小型の工具により前記可撓部が内に向けて湾曲するように変形され、前記同軸マイクロケーブルの中心導体に圧着され、電気的な接続が形成されることを特徴とする同軸マイクロケーブル用フリーハンダ付けコネクタ。
【考案の詳細な説明】
【技術分野】
【０００１】
本考案は、同軸マイクロケーブル用フリーハンダ付けコネクタに関し、より詳しくは、導電挟持部品により同軸マイクロケーブルの中心導体とコネクタ本体の接続用端子とが安定的に電気的に接続される同軸マイクロケーブル用フリーハンダ付けコネクタに関する。
【背景技術】
【０００２】
従来の同軸マイクロケーブルのコネクタは、機械に電気的に接続される同軸マイクロケーブルにインターフェイスコネクタを有する電子機器であり、信号の伝送に用いられる。現在、同軸マイクロケーブルの接続技術は、ここで述べる”同軸マイクロケーブル”とは、中心導体の直径が０．１ｍｍより大きく、０．８ｍｍより小さい同軸ケーブルを指し、例えばＲＧ１７８、ＲＧ１７９等がある。このような外径の小さい同軸ケーブルには、ＳＭＡ、ＳＭＢ、ＭＣＸ、ＭＭＣＸ等のような精確なマイクロコネクタを使用する必要がある。先行技術における同軸マイクロケーブルは中心導体と、中心導体の周囲を被覆させる絶縁体と、絶縁体の周囲を被覆させる少なくとも１層の編組導体と、前記編組導体の周囲を被覆させる外部被覆とを備える。前記同軸マイクロケーブルの中心導体は通常、コネクタ内部のプラグに直接半田付けされる。このような半田付け方式には電力が必要で、清潔で明るい作業環境の下で接合作業を行う必要があり、体積の小さいプラグの接合では、より慎重を期して作業する必要がある。接合を行う作業員が前記プラグを持ち、前記中心導体に載せた後に半田付け作業を実行する。
【考案の概要】
【考案が解決しようとする課題】
【０００３】
しかしながら、このような電気的接続はプラグの体積が非常に小さい為指で取りにくく作業が難しい場面も多くある。また高熱の半田ごてを使用しての半田付け作業は短時間で作業を終える必要がある為熟練した作業が求められ作業員のストレスも大きく接続に失敗して損害を被る事もある。
【０００４】
上述のように、現在、同軸マイクロケーブルの中心導体及びコネクタを堅固に接合させ、半田付けが不要で簡便にケーブル接続出来る構造のコネクタが求められています。
【０００５】
そこで、本考案者は上記の欠点が改善可能と考え、鋭意検討を重ねた結果、合理的設計で上記の課題を効果的に改善する本考案の提案に到った。
【０００６】
かかる従来の実情に鑑みて、本考案は、同軸マイクロケーブル用フリーハンダ付けコネクタを提供することを目的とする。すなわち、簡易で半田付けが不要な構造により、同軸マイクロケーブルの中心導体とコネクタ本体の接続用端子とを電気的に接続させる。
【課題を解決するための手段】
【０００７】
上述した課題を解決し、上記目的を達成するため、本考案に係る同軸マイクロケーブル用フリーハンダ付けコネクタの特徴は、金属ケース及び前記金属ケースの内部に接合されるコネクタ本体を備え、前記コネクタ本体は接続ヘッドと、絶縁部品と、接続用端子と、支持部材とを含む。前記コネクタは、前記絶縁部品が先端部と、後端部と、前記先端部と後端部との間に形成される弧端部とを有し、前記円弧端部が接合溝からなる。導電挟持部品は前記絶縁部品と前記接続用端子との間に配置され、前記導電挟持部品はＵ字型構造を呈し、前記絶縁部品の接合溝中に固定され、且つ前記接続用端子のインターフェイス部の周囲に配置される。前記導電挟持部品は弧状部、及び前記弧状部の両側の端部から所定の長さ上に向けて延伸される１対の可撓部を有し、且つ小型の工具により前記可撓部が内に向けて湾曲するように変形され、前記同軸マイクロケーブルの中心導体に圧着され、電気的接続を形成させることを特徴とする。
【図面の簡単な説明】
【０００８】
【図１】本考案の外観斜視図である。
【図２】本考案の縦断面図である。
【図３】本考案の分解図である。
【図４】本考案のコネクタ本体の斜視図である。
【図５Ａ】本考案の導電挟持部品が絶縁部品及び接続用端子に配置され、圧着されていない縦断面図である。
【図５Ｂ】本考案の導電挟持部品が絶縁部品及び接続用端子に配置され、導電挟持部品が圧着される縦断面図である。
【図６Ａ】同軸マイクロケーブルが同軸コネクタに接合される工程図である。
【図６Ｂ】同軸マイクロケーブルが同軸コネクタに接合される工程図である。
【図６Ｃ】同軸マイクロケーブルが同軸コネクタに接合される工程図である。
【図６Ｄ】同軸マイクロケーブルが同軸コネクタに接合される工程図である。
【図６Ｅ】同軸マイクロケーブルが同軸コネクタに接合される工程図である。
【図６Ｆ】同軸マイクロケーブルが同軸コネクタに接合される工程図である。
【図７Ａ】同軸マイクロケーブルの中心導体が本考案の導電挟持部品に留め置かれる断面図であり、前記導電挟持部品が圧着されていない状態図である。
【図７Ｂ】同軸マイクロケーブルの中心導体が本考案の導電挟持部品に力を加え接合する断面図であり、前記導電挟持部品が圧着される状態図である。
【考案を実施するための形態】
【０００９】
以下、図面を参照して本考案に係る同軸マイクロケーブル用フリーハンダ付けコネクタの実施形態について説明する。尚、以下に説明する実施の形態は、実用新案登録請求の範囲に記載された本考案の内容を限定するものではない。また、以下に説明される構成の全てが、本考案の必須要件であるとは限らない。
（実施形態）
【００１０】
以下に、図１〜７Ｂを参照しながら、本考案をさらに詳しく説明する。まず、図６Ｂから分かるように、従来の同軸マイクロケーブル６０の末端はカッターにより外部被覆６４が剥がされ、中心導体６１、絶縁体６２、及び編組導体６３が部分的に一定の長さ露出される。前記絶縁体６２により前記中心導体６１の周囲が被覆され、前記編組導体６３により前記絶縁体６２の周囲が被覆され、前記外部被覆６４により前記編組導体６３の周囲が被覆される。
【００１１】
図１乃至図５Ｂに示されるように、本考案の同軸マイクロケーブル用フリーハンダ付けコネクタ１０は、金属ケース１１と、接続ヘッド１２と、前記金属ケース１１の内部に接合されるコネクタ本体２０とを備える。前記接続ヘッド１２は前記金属ケース１１の前端に連結され、これにはＳＭＡ、ＳＭＢ、ＭＣＸ、ＭＭＣＸ等の接続インターフェイスが選択される。本考案ではＭＭＣＸ接続ヘッドで実施される例について説明する。前記接続ヘッド１２は雄ねじ本体１３と、前記雄ねじ本体１３の前端に配置配置される接触用嵌合部材１４と、前記雄ねじ本体１３の後端に配置配置される挟持部１５とを有する。前記接触用嵌合部材１４には所定の内径サイズ及びメスコネクタ（図示せず）が形成され、機械的な挟持に用いられる。
【００１２】
前記コネクタ本体２０は絶縁部品２２と、接続用端子３０と、支持部材４０とを備える。前記絶縁部品２２は先端部２３と、後端部２４と、前記先端部２３と後端部２４との間に形成される円弧端部２５とを有する。前記円弧端部２５は接合溝２６からなる。前記後端部２４は前記接合溝２６につながる開孔部２７を有する。
【００１３】
前記接続用端子３０は前記絶縁部品２２内に挿入され、その前端には前記絶縁部品２２の先端部２３内に配置されるピン形状部３１が形成され、その後端にはやや拡大されると共に前記絶縁部品２２の後端部２４内に配置される末端部３２、及び前記ピン形状部３１と末端部３２との間に形成されると共に前記絶縁部品２２の接合溝２６に配置されるインターフェイス部３３が形成される。前記ピン形状部３１はインターフェイスコネクタを有するメスコネクタと電気的に接続される。前記末端部３２は開口部３４を有し、前記同軸マイクロケーブル６０の中心導体６１及び絶縁体６２が貫入され、且つ前記中心導体６１が前記インターフェイス部３３に配置される（図６Ｂ参照）。
【００１４】
前記支持部材４０は金属材料で製造され、本体部４１及び管端部４２を有する。前記本体部４１の内部には前記絶縁部品２２の後端部２４が収納され、且つ前記絶縁部品２２及び前記支持部材４０が緊密に結合される（図４参照）。
【００１５】
前記本体部４１が前記接続ヘッド１２の挟持部１５内に挿入され、前記挟持部１５が前記本体部４１を挟持させることにより、前記支持部材４０及び前記接続ヘッド１２が結合される。前記同軸マイクロケーブル６０の自由端がコネクタ本体２０に挿入されると、前記同軸マイクロケーブル６０の編組導体６３が前記管端部４２内に配置され、小型の工具により力が加えられて前記管端部４２が前記編組導体６３に結合するように変形され、前記コネクタ本体２０に接地が形成される（図６Ｄ参照）。
【００１６】
本考案の同軸マイクロケーブル用フリーハンダ付けコネクタ１０の技術的特徴は、前記コネクタ本体２０が前記絶縁部品２２と接続用端子３０との間に配置される導電挟持部品５０を更に備える。前記導電挟持部品５０はＵ字型構造を呈すると共に前記絶縁部品２２の接合溝２６中に固定され、且つ前記接続用端子３０のインターフェイス部３３の周囲に配置される。前記導電挟持部品５０は弧状部５１、及び前記弧状部５１の両側の端部から所定の長さ上に向けて延伸される１対の可撓部５２を有する（図３、図４及び図５Ａ参照）。小型の工具により前記可撓部５２が内に向けて湾曲するように変形され（図５Ｂ参照）、且つ前記同軸マイクロケーブル６０の中心導体６１に圧着され、前記導電挟持部品５０及び接続用端子３０が電気的に接続される（図６Ｄ及び７Ｂ参照）。
【００１７】
図６Ａ乃至図６Ｆは本考案の同軸マイクロケーブル用フリーハンダ付けコネクタ１０が前記同軸マイクロケーブル６０に接合される工程図である。まず、図６Ａに示されるように、金属ケース１１が同軸マイクロケーブル６０に挿入される。続いて、同軸マイクロケーブル６０の自由端の外部被覆６４が部分的に除去され、中心導体６１、絶縁体６２、及び編組導体６３が部分的に一定の長さ露出される（図６Ｂ参照）。次いで、前記同軸マイクロケーブル６０の自由端が前記コネクタ本体２０内に挿入され、中心導体６１が前記接続用端子３０のインターフェイス部３３に配置される（図６Ｃ参照）。次に、工具により導電挟持部品５０の可撓部５２が内に向けて湾曲するように変形され、且つ同軸マイクロケーブル６０の中心導体６１に圧着されて電気的接続が形成される。同時に、工具により前記管端部４２に力が加えられ、前記編組導体６３に結合するように変形され、前記コネクタ本体２０に接地が形成される（図６Ｄ参照）。
【００１８】
その後、前記支持部材４０の本体部４１が前記接続ヘッド１２の挟持部１５内に挿入され、前記挟持部１５により前記本体部４１が挟持され、前記接続ヘッド１２及び支持部材４０が結合される（図６Ｅ参照）。
【００１９】
最後に、接続ヘッド１２の雄ねじ本体１３が前記金属ケース１１内に螺入される。この際、前記接続ヘッド１２の接触用嵌合部材１４が金属ケース１１の外に露出され、メスコネクタに機械的に挟持される（図６Ｆ参照）。
【００２０】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求のに含まれるものと解釈すべきである。
【符号の説明】
【００２１】
１０  同軸マイクロケーブル用フリーハンダ付けコネクタ
１１  金属ケース
１２  接続ヘッド
１３  雄ねじ本体
１４  接触用嵌合部材
１５  挟持部
２０  コネクタ本体
２２  絶縁部品
２３  先端部
２４  後端部
２５  円弧端部
２６  接合溝
２７  開孔部
３０  接続用端子
３１  ピン形状部      
３２  末端部
３３  インターフェイス部
３４  開口部
４０  支持部材
４１  本体部
４２  管端部
５０  導電挟持部品
５１  弧状部
５２  可撓部
６０  同軸マイクロケーブル
６１  中心導体
６２  絶縁体
６３  編組導体
６４  外部被覆
【図１】
0003214098.tif 000003
【図２】
0003214098.tif 000004
【図３】
0003214098.tif 000005
【図４】
0003214098.tif 000006
【図５Ａ】
0003214098.tif 000007
【図５Ｂ】
0003214098.tif 000008
【図６Ａ】
0003214098.tif 000009
【図６Ｂ】
0003214098.tif 000010
【図６Ｃ】
0003214098.tif 000011
【図６Ｄ】
0003214098.tif 000012
【図６Ｅ】
0003214098.tif 000013
【図６Ｆ】
0003214098.tif 000014
【図７Ａ】
0003214098.tif 000015
【図７Ｂ】
0003214098.tif 000016